(57)【要約】【課題】使用中の発熱や外部からの熱の影響により電池の膨張による変形が発生しても電池の着脱時に電池収納部の内壁と電池の干渉を防ぎ、且つ小型な電池収納部を提供する。【解決手段】電池収納部２は電池１を着脱する開口部を有し、電池の断面における長辺側の端部は電池の変形が少ないことから、電池のガイド部１２は電池の断面における長辺側の端部の最大外形寸法に対し公差寸法を見込めば良い。電池が膨張して変形した際に干渉を防ぐために隙間１１を長辺側の面に設ける。つまり電池収納部の長辺側の内壁は短辺の幅が長辺の中央部では長辺の端部の幅よりも広くなるように断面における短辺７に隙間１１を加味することで電池の着脱不具合を防止可能な小型の電池収納部を実現できる。【選択図】        図３
2006079923.tif 000002
【特許請求の範囲】
【請求項１】
略直方体である電池を収納する電池収納部において、電池挿入方向に直交する断面形状において短辺の幅が長辺の中央部では長辺の端部の幅よりも広くなるように外側に壁を形成したことを特徴とする電池収納部。
【請求項２】
請求項１に記載の電池収納部において電池挿入方向に直交する断面形状において長辺に関る以外の面に電池接触片を有することを特徴とする電池収納部。
【請求項３】
請求項１に記載の電池収納部において電池を着脱する開口部以外に他の開口面を有していることを特徴とする電池収納部。
【請求項４】
請求項３に記載の電池収納部において電池を着脱する開口部と他の開口部は電池挿入方向に直交する断面形状において長辺側の面であることを特徴とする電池収納部。
【請求項５】
請求項４に記載の電池収納部において電池を着脱する開口部と他の開口部は電池挿入方向に直交する断面形状において長辺側の面であり、該長辺側の開口部を覆う構造物がプリント配線基板であることを特徴とする電池収納部。
【請求項６】
請求項１から請求項７いずれかに記載された電池収納部を有することを特徴とする携帯機器。
【発明の詳細な説明】
【技術分野】
【０００１】
本発明は小型電池を用いる携帯機器、特にデジタルカメラの電池収納部の構造に関するものである。
【背景技術】
【０００２】
従来、電池収納部においては電池の極性を間違えた取り付けがなされないような安全性において配慮したもの（特許文献１）や電池の着脱時の操作性向上に配慮したもの（特許文献２）などがある。
【特許文献１】特開２００２−７５３１０号公報（Ｐ２００２−７５３１０Ａ）
【特許文献２】特開平８−６４１８９号公報
【発明の開示】
【発明が解決しようとする課題】
【０００３】
近年、携帯機器に用いられる電池は薄型化している。この電池の薄型化は携帯機器の薄型化の大きな要因である。しかしながら、電池が薄くなったことにより、電池そのものの剛性が不足し使用中の発熱や外部からの熱の影響により電池の膨張が以前よりも大きくなっている。そのため、電池の膨張変形により電池収納部の内壁と干渉することで電池の着脱不具合になる場合があった。また、電池接触片が電池の変形量が多い付近に設けられた場合はさらに電池接触片に対する接触圧が増加することにより、電池の着脱不具合の要因となるだけでなく接触圧が過剰となり電池接触片がへたることも考えられる。電池の排出性を確保しながら機器の小型化を実現できるよう、電池収納部の小型化も十分に考慮されなければならない。本出願の発明の目的は、電池の膨張による変形が起きても電池の着脱が容易になるような小型の電池収納部を提案することである。
【課題を解決するための手段】
【０００４】
本発明は上記の課題を解決するものであり、請求項１に記載の発明は、略直方体である電池を収納する電池収納部において、電池挿入方向に直交する断面形状において短辺の幅が長辺の中央部では長辺の端部の幅よりも広くなるように外側に壁を形成したことを特徴とし電池の膨張による変形が起きても電池収納部の内壁と干渉を防止することで電池の着脱が容易になる。
【０００５】
請求項２に記載の発明は、請求項１に記載の電池収納部において電池挿入方向に直交する断面形状において電池の膨張による変形が起きても電池挿入方向に直交する断面形状において長辺の中央部では電池の短辺側よりも外側に壁を形成し、長辺に関る以外の面に電池接触片を有することにより電池の着脱が容易にしつつ、電池接触片の接触信頼性を確保することができる。
【０００６】
請求項３に記載の発明は、請求項１に記載の電池収納部において電池を着脱する開口部以外に他の開口面を有していることを特徴としており、電池の膨張による変形が起きても電池の着脱が容易になり且つ電池収納部の形状を薄くできることから小型化ができる。
【０００７】
請求項４に記載の発明は、請求項３に記載の電池収納部において電池を着脱する開口部と他の開口部は電池挿入方向に直交する断面形状において長辺側の面であることを特徴としており、最も電池の膨張による変形が発生しやすい長辺側の面において電池の膨張による変形が起きても電池の着脱が容易になり且つ、電池収納部の形状を薄くできることから電池収納部の小型化も実現できる。
【０００８】
請求項５に記載の発明は、請求項４に記載の電池収納部において電池を着脱する開口部と他の開口部は電池挿入方向に直交する断面形状において長辺側の面であり、該長辺側の開口部を覆う構造物がプリント配線基板であることを特徴としており、電池の膨張による変形が起きても電池の着脱が容易であり、且つ、長辺側の面をプリント配線版にて覆うことから電池収納部の形状を薄くできることから小型化を実現できる。
【０００９】
請求項６に記載の発明は、請求項１から請求項７にいずれかに記載された電池収納部を有するデジタルカメラなどの、薄型電池を使用する機器において、電池の膨張による変形が起きても電池の着脱が容易であり、且つ電池収納部を小型化できることから機器の小型化を実現できる。
【発明の効果】
【００１０】
本発明に関る電池収納部によれば、電池が薄くなったことにより、電池の剛性が不足し、使用中の発熱や外部からの熱の影響により電池の膨張変形が発生しても、電池挿入方向に直交する断面形状において短辺の幅が長辺の中央部では長辺の端部の幅よりも広くなるように外側に壁を形成したことにより、電池の着脱時に電池収納部の内壁と干渉することを防ぐことができる。また、電池の接触片を電池挿入方向に直交する断面形状において長辺に関る以外の面に設けることにより電池接触片に対する接触圧が増加することによる電池接触片のへたりと電池の着脱不具合を防止できる。
【発明を実施するための最良の形態】
【００１１】
以下、本発明に関する実施例について詳細に説明する。
【実施例】
【００１２】
図１は本発明の実施例における電池収納部の構成を示す斜視図である。電池収納部２は電池１を着脱する開口部を有し、電池を着脱する為の開口部は蓋４で覆われる。電池収納部２の内部には電池排出ばね３が取り付けられており、電池１は蓋４を開けると排出するようになっている。また、電池収納部２の内部において、電池を着脱する為の開口面に対向する面に電池接触片５が取り付けられてられており、電池１に設けられた接点６と接触し導通する。この位置に電池接触片を設けることで、電池の膨張変形に対し電池の着脱は影響を受けなくなる。
【００１３】
図２は電池１の図１に示される着脱方向に直角な断面図である。電池１は薄型であることから、断面における長辺８は断面における短辺７に比べて長いことから、自己の発熱や外部から受ける熱により膨張した場合、変形方向１０の矢印方向に変形が起こりやすい。その結果として断面における長辺８が膨らみ変形後の面９に示されるようになる。
【００１４】
図３は図１の電池収納部の断面図である。電池の断面における長辺側の端部は電池の変形が少ないことから、電池のガイド部１２は電池の断面における長辺側の端部の最大外形寸法に対し公差寸法を見込めば良い。電池が膨張して変形した際に干渉を防ぐために隙間１１を長辺側の面に設ける。つまり電池収納部の長辺側の内壁は短辺の幅が長辺の中央部では長辺の端部の幅よりも広くなるように断面における短辺７に隙間１１を加味すればよい。
【図面の簡単な説明】
【００１５】
【図１】本発明に係る電池収納部の実施形態を示すものであり、電池排出状態を示す斜視図である。
【図２】電池の断面図を示すものである。
【図３】本発明に係る電池収納部の実施形態を示すものであり、図１の断面図である。
【符号の説明】
【００１６】
１  電池
２  電池収納部
３  電池排出ばね
４  蓋
５  電池接触片
６  接点
７  断面における短辺
８  断面における長辺
９  変形後の面
１０  変形方向
１１  隙間
１２  電池のガイド部
【図１】
2006079923.tif 000003
【図２】
2006079923.tif 000004
【図３】
2006079923.tif 000005